(57)【特許請求の範囲】
【請求項１】
音声出力回路およびスピーカを有する電子機器の冷却装置において、
前記音声出力回路の出力に比例した制御信号を出力する制御手段と、前記制御手段の信号に基づいて冷却ファンのモータの回転数を制御する駆動回路とを備え、前記音声出力回路は、ＦＭを受信するＦＭチューナ回路であり、前記制御信号は前記ＦＭチューナ回路から出力されるＲＤＳ信号を検出するＲＤＳデコーダからの出力信号に含まれる音楽ジャンルに応じた制御信号であることを特徴とする電子機器の冷却装置。
【請求項２】
駆動回路に接続されたピーク検波回路により冷却ファンから発生するノイズ電圧を検出し、このノイズ電圧を制御手段に入力させて前記冷却ファンおよび駆動回路の異常を判定し、異常の場合に前記冷却ファンを停止するようにしたことを特徴とする請求項１記載の電子機器の冷却装置。
【発明の詳細な説明】
【０００１】
【発明の属する技術分野】
本発明は、電子機器、例えばオーディオ機器の冷却装置に関するものである。
【０００２】
【従来の技術】
一般に、音声出力回路およびスピーカを有するオーディオ機器では、電力増幅を行う関係上発熱量が多く、そのため、小型化されてダッシュボードに取り付けられている車載用オーディオでは、強制冷却のためモータ駆動による冷却ファンを備えている。従来は、このモータの回転数はそのオーディオ機器の最大発熱量に合わせてあり、常にその一定の回転数で冷却ファンを駆動してオーディオ機器を冷却するようにしている。
【０００３】
一般に、スピーカを駆動する音声出力回路は、音量の大小により電力量が変化するため、発熱量も音量に応じて変化する。したがって、音量が大きい場合はファンの回転数を大きくして冷却力を大きくする必要があるが、音量が小さい場合はファン回転数も小さくして使用電力を節減することが好ましい。
【０００４】
【発明が解決しようとする課題】
従来の電子機器の冷却装置は以上のように構成されているので、音量が小さい場合でも最大の回転数で冷却ファンが駆動されるので、ファン回転に要する電力が無駄であるばかりでなく、回転数が大きい程騒音も大きくなるので、スピーカの音量が小さい場合は回転音が耳障りになるという課題があった。
【０００５】
この発明は、上記のような課題を解決するためになされたもので、音声信号の強弱に応じて冷却ファンの回転数を制御することにより電力効率のよい冷却を得るようにした電子機器の冷却装置を提供することを目的とする。
【０００６】
【課題を解決するための課題】
この発明に係る電子機器の冷却装置は、音声出力回路の出力に比例した制御信号を出力する制御手段と、制御手段の信号に基づいて冷却ファンのモータの回転数を制御する駆動回路とを備え、音声出力回路はＦＭを受信するＦＭチューナ回路であり、制御信号はＦＭチューナ回路から出力されるＲＤＳ信号を検出するＲＤＳデコーダからの出力信号に含まれる音楽ジャンルに応じた制御信号である。
【０００８】
この発明に係る電子機器の冷却装置は、駆動回路に接続されたピーク検波回路により冷却ファンから発生するノイズ電圧を検出し、このノイズ電圧を制御手段に入力させて冷却ファンおよび駆動回路の異常を判定し、異常の場合に冷却ファンを停止するものである。
【０００９】
【発明の実施の形態】
以下、この発明の実施の一形態を説明する。
実施の形態１．
図１は、この発明の実施の形態１による電子機器の冷却装置を示すブロック図である。
図１において、１はカーステレオ等の冷却を必要とするオーディオ機器（電子機器）、２は音声出力回路、３はスピーカ、４はマイコン（制御手段）、５は駆動回路、６はモータ、７は冷却ファンである。マイコン４は音声出力回路２からの信号が入力される制御信号変換部８と、メモリ９および制御部１０を備えている。
【００１０】
次に、動作を説明する。
音声出力回路２は音楽その他の音声データを電力増幅してスピーカ３に供給すると共に、その音声データをマイコン４の制御信号変換部８に供給する。音声データは制御信号変換部８により制御信号に変換されて制御部１０に送られる。この制御部１０ではモータ６の回転数の制御条件のデータを記憶させたメモリ９のデータと制御信号変換部８から出力された制御電圧とを比較し、処理された制御電圧により駆動回路５を制御し、駆動回路５の出力でモータ６を回転させて冷却ファン７を回転させる。
【００１１】
音声出力回路２の出力が大きくなって、スピーカ３の音量が大きくなると、これに応じてモータの回転数が大きくなるように制御する。これにより、スピーカ３の音量が大きくなって発熱量が大きくなると、冷却ファン７の回転数が大きくなって冷却力を増大させることができる。逆に、スピーカ３の音量が小さくなって発熱量が小さくなると冷却ファン７の回転数を小さくして使用電力を少なくすると共に、冷却ファン７の回転騒音も小さくすることができる。
【００１２】
以上のように、実施の形態１によれば、音声出力回路２の出力に比例した制御信号をマイコン４から出力して冷却ファン７の回転数を制御するようにしたので、音量が大きくなって発熱量が大きくなると冷却ファン７の回転数を大きくして冷却力を増大させ、音量が小さくなると冷却ファン７の回転数を小さくして使用電力を少なくすると共に、冷却ファンの騒音も小さくすることができる。
【００１３】
実施の形態２．
図２は、この発明の実施の形態２による電子機器の冷却装置を示すブロック図である。
本実施の形態はオーディオ機器１がＲＤＳ（デジタルデータ多重）のＦＭ受信機である場合の例であって、１１はアンテナ、１２はＦＭチューナ回路（音声出力回路）、１３はＲＤＳデコーダ、１４は駆動回路５の出力側と制御信号変換部８間に接続されたピーク検波回路である。
【００１４】
次に、図３のフローチャートにより動作を説明する。
オーディオ機器１のスイッチが入りスタートすると同時に、ＦＭチューナ回路１２でデジタルデータ多重のＦＭ信号を受信し（ステップＳＴ１）、冷却ファン７の駆動を開始する（ステップＳＴ２）。ＦＭチューナ回路１２の出力はスピーカ３に送られると共に、ＲＤＳデコーダ１３に送られ、このＲＤＳデコーダ１３から放送音楽ソースの情報を含み、ＦＭラジオ信号の選局用、放送局表示用などのディジタルデータを多重したＲＤＳ信号が制御信号変換部８に送られ、ここでＦＭ放送音楽ジャンルを識別し（ステップＳＴ３）、比較的音声信号の振幅が大きく音量の大きいジャンルについては冷却ファン７の回転数を上げ、音声信号の振幅が小さく音量の小さいジャンルについては冷却ファン７の回転数を下げる制御を行う（ステップＳＴ４）。
【００１５】
また、冷却ファン７の駆動時に発生するノイズ電圧がピーク検波回路１４により検出されて制御信号変換部８に入力され（ステップＳＴ５）、制御部１０でメモリ９のデータと制御信号変換部８から出力された制御電圧を比較し、ファン回転数は正常か否かを判断し（ステップＳＴ６）、ＹＥＳであればステップＳＴ３に進み、ＮＯであれば冷却ファン７および駆動回路５に異常はないか否かを判断し（ステップＳＴ７）、ＹＥＳであればステップＳＴ４に進み、ＮＯであれば冷却ファン７の停止による保護動作を行う（ステップＳＴ８）。
【００１６】
以上のように、実施の形態２によれば、ＦＭチューナ回路１２の出力をＲＤＳデコーダ１３からマイコン４に入力し、マイコン４からの制御信号により冷却ファン７の回転数を制御するようにしたので、ＦＭ受信時の音量が大きくなって、発熱量が大きくなると、冷却ファン７の回転数を大きくして冷却力を増大させ、音量が小さくなると冷却ファン７の回転数を小さくして使用電力を少なくすると共に、冷却ファン７の騒音も小さくすることができる。
また、冷却ファン７から発生するノイズ電圧をピーク検波回路１４で検出し、異常の場合に冷却ファン７を停止するようにしたので、冷却ファン７に付着したゴミ、異物などの接触による回転異常や駆動回路５の異常の場合冷却ファン７を停止することにより、保護動作を行うことができる。
【００１７】
【発明の効果】
以上のように、この発明によれば、音声出力回路の出力に比例した制御信号で冷却ファンの回転数を制御するように構成したので、音量が大きくなって発熱量が大きくなると、冷却ファンの回転数を大きくして冷却力を増大させ、音量が小さくなると、冷却ファンの回転数を小さくして使用電力を少なくすると共に、冷却ファンの騒音も小さくすることができるという効果がある。
【００１８】
この発明によれば、ＦＭチューナ回路の出力をＲＤＳデコーダから制御手段に入力し、この制御手段により冷却ファンの回転数を制御するように構成したので、ＦＭ受信時の音量が大きくなって発熱量が大きくなると、冷却ファンの回転数を大きくして冷却力を増大させ、音量が小さくなると、冷却ファンの回転数を小さくして使用電力を少なくすると共に、冷却ファンの騒音も小さくすることができるという効果がある。
【００１９】
この発明によれば、冷却ファンから発生するノイズ電圧を検出し、異常の場合に冷却ファンを停止するように構成したので、冷却ファンに付着したゴミ、異物などの接触による回転異常や駆動回路の異常の場合冷却ファンを停止することにより、保護動作を行うことができるという効果がある。
【図面の簡単な説明】
【図１】  この発明の実施の形態１による電子機器の冷却装置を示すブロック図である。
【図２】  この発明の実施の形態２による電子機器の冷却装置を示すブロック図である。
【図３】  この発明の実施の形態２による電子機器の冷却装置の動作を示すフローチャートである。
【符号の説明】
１  オーディオ機器（電子機器）、２  音声出力回路、３  スピーカ、４  マイコン（制御手段）、５  駆動回路、６  モータ、７  冷却ファン、８  制御信号変換部、９  メモリ、１０  制御部、１１  アンテナ、１２  ＦＭチューナ回路（音声出力回路）、１３  ＲＤＳデコーダ、１４  ピーク検波回路。
【図１】
0004480922.tif 000002
【図２】
0004480922.tif 000003
【図３】
0004480922.tif 000004